(57)【要約】【課題】大小様々な形状の洗濯物を干す際、無駄なく用途に応じて効率良く洗濯物を干す手段として、洗濯バサミが物干器具干体部をクリックを伴うスライド移動及び任意な位置へフリーにスライド移動できる両機能を持たせたスライド可能な洗濯バサミ付物干器具を提供すること。【解決の手段】Ｔ溝部４を構成する物干器具干体２の一方側面に複数のＶ溝部４を設け、その物干器具干体２のＴ溝部４へスライド移動可能に嵌合される係止体６に洗濯バサミ１０を吊設し、その係止体６に付勢をもたせる為の板バネ７を具備することによりクリック感を伴ったスライド移動ができると共に物干器具本体１の内側に配設された物干器具干体３のＴ溝部４にはＶ溝部５を設けず、それに嵌合される係止体９を円形状にすることで任意な位置へ自在にスライド移動させることが可能となる。【選択図】      図１
2005137840.tif 000002
【特許請求の範囲】
【請求項１】
Ｔ溝部を構成する物干器具干体の一方側面に複数のＶ溝を設け、その干体のＴ溝部へ板バネによる付勢を持たせた係止体に洗濯バサミを吊設し、その物干器具干体に前記係止体を複数個スライド可能に嵌合係止させ、各係止体は物干器具干体の一方向側面に設けられている複数のＶ溝位置へクリックを伴うスライド移動が可能なことを特徴とするスライド可能な洗濯バサミ付物干器具。
【請求項２】
前記、物干器具本体の内側に配設された干体にはＶ溝部を設けず、干体にスライド可能に嵌合係止される係止体は円形状を成すことで物干器具干体の任意な位置へ、自在にスライド移動させることができる請求項１のスライド可能な洗濯バサミ付物干器具。
【発明の詳細な説明】
【技術分野】
【０００１】本発明は、Ｔ溝を形成する物干器具干体部を、洗濯バサミが吊設された係止体が自在にスライド移動させることができるスライド可能な洗濯バサミ付物干器具に関する。
【背景技術】
【０００２】従来、洗濯バサミ付物干器具において、その物干器具干体に複数個の洗濯バサミが固定されているものが知られている。【０００３】しかしながら、従来の構造であると物干器具干体に洗濯バサミが固定されている為、大小様々な洗濯物を干すには用途に制限があり不便を生じていた。
【発明の開示】
【発明が解決しようとする課題】
【０００４】本発明の目的は、物干器具干体にクリックを伴うスライド移動が可能な係止体に洗濯バサミを吊設し、大小様々な洗濯物を干す際に洗濯バサミを適位置にスライド移動させることで無駄なく干すことができ、大物の洗濯物に対しても係止体がクリック固定されるので重さによる傾きで洗濯バサミが一方にずれることがない。【０００５】また、物干器具内側に配設されている干体はクリック感を有せず、フリースライド嵌合とし、洗濯バサミが任意な位置へスライド移動するので洗濯バサミを多く吊設することができ、小物の洗濯物に対して無駄なく干すことができる。
【課題を解決するための手段】
【０００６】本発明は、Ｔ溝形状から成る干体で構成された物干器具で、そのＴ溝部一方側面に係止体をクリック移動及び固定の役目を持たせる複数のＶ溝を設け、物干器具干体にスライド嵌合する係止体には付勢をもたせる板バネを具備し、前記係止体の付勢バネが干体のＶ溝に一致したときにスライド移動は固定される。また、物干し器具本体内側に配設される物干器具干体は、Ｔ溝部側面にＶ溝を設けず、それに嵌合する係止体も付勢バネを具備せず円形状にすることにより物干器具干体の任意な位置へ自在にスライド移動させることが可能なことを特徴とするスライド可能な洗濯バサミ付物干器具である。
【発明の効果】
【０００７】請求項１の発明において、前記手段により大小様々な洗濯物の形状に応じて洗濯バサミを物干器具干体のクリック位置にスライド移動させることにより、無駄なく洗濯物を干すことができると共に物干器具本体が洗濯物の重さによって一方に傾いた場合、係止体はクリック固定されているので洗濯物が一方にずれることが無く干すことができる。【０００８】請求項２の発明において、物干器具本体の内側に配設されている物干器具干体に嵌合されている係止体は任意な位置へ自在にスライドが可能な為、洗濯バサミの数を多くすることができ、小さい洗濯物に対して合理的に干すことが可能な当核物干器具を提供することができる。
【発明を実施するための最良の形態】
【０００９】図１は本実施形態の物干器具本体１を上面から見た部分斜視図である。
Ｔ溝部４を構成する一方側面にＶ溝部５を設けた外側干体２に板バネ７による付勢を持たせた係止体６を外側干体２のＴ溝部へスライド嵌合させることで係止体６に具備している板バネ７の付勢部８と前記干体２のＶ溝部５が一致することでクリックを伴うスライド移動が可能となる。
よって、洗濯物の大小様々な形状に応じて洗濯バサミを適位置へスライドさせことができるので無駄なく干すことが可能となる。【００１０】また、物干器具本体１の内側に配設される内側干体３はＴ溝部４の一方側面にＶ溝部は設けず、それに嵌合する係止体９は円形状にすることで任意な位置へ自在にスライド移動が可能となる為、洗濯バサミの数を多く吊設することができ、小物類は無駄なく多く干すことができる。【００１１】図２はＶ溝を設けた外側干体２の下面から見た部分斜視図である。
外側干体２のＴ溝部４へ板バネを具備した係止体６をスライド可能に嵌合係止させる。
外側干体２に設けられているＶ溝部５と前記係止体６の付勢部８が一致した状態で係止体６は固定状態となる為、洗濯物の重量配分によって傾いた場合にも洗濯バサミ１０はズレを生じない。【００１２】図３は板バネを具備した係止体６の斜視図である。
係止体６に板バネ７が挿入される角穴部を設け、その角穴に板バネ７を圧接挿入させることで板バネ７の付勢部８が係止体６の側面部より突出し、外側干体２へ嵌合させた時、Ｔ溝部４とは常に付勢された状態となる。【００１３】図４、図５、は円形状係止体９及び係止体９が嵌合する内側干体３の斜視図及び部分斜視図である。
内側干体３のＴ溝部４の一方側面にはＶ溝部５は設けていないので、それに嵌合する係止体９は円形状となる。【００１４】図６は物干器具本体１の外側干体２と内側干体３の一部に洗濯バサミ１０を吊設した状態の下面から見た全体斜視図である。
以上から、干体に洗濯バサミが固定されている物干器具に比べて、洗濯バサミ１０の数を多く吊設することができると共にスライド移動機能を持たせることにより大きい洗濯物は、クリック固定の外側干体２の洗濯バサミ１０へ、小さい洗濯物は多く干せることができるフリースライド移動の内側干体３の洗濯バサミ１０へと用途に応じて干すことが可能となる。
【図面の簡単な説明】
【００１５】
【図１】  物干器具本体の下面から見た部分斜視図。
【図２】  外側干体に板バネを具備した係止体を嵌合させた部分斜視図。
【図３】  板バネを具備した係止体の分解斜視図
【図４】  円形状をなす係止体の斜視図
【図５】  内側干体に円形状から成る係止体を嵌合させた部分斜視図。
【図６】  物干器具本体の下面から見た全体斜視図。
【符号の説明】
【００１６】          １      物干器具本体
２      Ｖ溝部を設けた外側干体
３      内側干体
４      干体のＴ溝部
５      Ｖ溝部
６      板バネを具備した係止体
７      板バネ
８      板バネの付勢部
９      円形状係止体
１０    洗濯バサミ
【図１】
2005137840.tif 000003
【図２】
2005137840.tif 000004
【図３】
2005137840.tif 000005
【図４】
2005137840.tif 000006
【図５】
2005137840.tif 000007
【図６】
2005137840.tif 000008